(57)【要約】【課題】ユーザが表示パネルに表示されているオブジェクトを容易に移動させられるオブジェクト表示装置を提供する。【解決手段】情報処理装置１００は、表示パネル１４０と、第１のモードにおいて表示パネルを介して線画像の手書き入力を受け付け、第２のモードにおいて表示パネルを介して文字の選択入力を受け付ける受付手段１１１と、第１のモードにおいて表示パネルを介して手書き入力を受け付けるためのエリアの各々を示す文字入力枠を表示し、第２のモードにおいて表示パネルを介して選択入力を受け付けるためのキーボードを表示させる表示制御手段１１４と、受付手段が複数の手書き入力を受け付けたか否かを判断する判断手段１１２と、受付手段が複数の手書き入力を受け付けた場合に、第１のモードから第２のモードに切り替える切替手段１１３とを備える。【選択図】図１２
2010086400.tif 000002
【特許請求の範囲】
【請求項１】
情報処理装置であって、
表示パネルと、
第１のモードにおいて前記表示パネルを介して線画像の手書き入力を受け付け、第２のモードにおいて前記表示パネルを介して文字の選択入力を受け付ける受付手段と、
前記第１のモードにおいて前記表示パネルを介して前記手書き入力を受け付けるためのエリアの各々を示す入力枠を表示し、前記第２のモードにおいて前記表示パネルを介して前記選択入力を受け付けるためのキーボードを表示させる表示制御手段と、
前記手書き入力された前記線画像が予め設定された切替枠と交差するか否かを判断する判断手段と、
前記線画像が前記切替枠と交差する場合に、前記第１のモードから前記第２のモードに切り替える切替手段とを備える、情報処理装置。
【請求項２】
前記切替枠は前記入力枠である、請求項１に記載の情報処理装置。
【請求項３】
前記判断手段は、前記線画像が複数の前記切替枠と交差するか否かを判断し、
前記切替手段は、前記線画像が複数の前記切替枠と交差する場合に、前記第１のモードから前記第２のモードに切り替える、請求項１または２に記載の情報処理装置。
【請求項４】
情報処理装置であって、
表示パネルと、
第１のモードにおいて前記表示パネルを介して線画像の手書き入力を受け付け、第２のモードにおいて前記表示パネルを介して文字の選択入力を受け付ける受付手段と、
前記第１のモードにおいて前記表示パネルを介して前記手書き入力を受け付けるためのエリアの各々を示す入力枠を表示し、前記第２のモードにおいて前記表示パネルを介して前記選択入力を受け付けるためのキーボードを表示させる表示制御手段と、
前記受付手段が複数の前記手書き入力を受け付けたか否かを判断する判断手段と、
前記受付手段が複数の前記手書き入力を受け付けた場合に、前記第１のモードから前記第２のモードに切り替える切替手段とを備える、情報処理装置。
【請求項５】
情報処理装置であって、
表示パネルと、
第１のモードにおいて前記表示パネルを介して線画像の手書き入力を受け付け、第２のモードにおいて前記表示パネルを介して文字の選択入力を受け付ける受付手段と、
前記第１のモードにおいて前記表示パネルを介して前記手書き入力を受け付けるためのエリアの各々を示す入力枠を表示し、前記第２のモードにおいて前記表示パネルを介して前記選択入力を受け付けるためのキーボードを表示させる表示制御手段と、
前記手書き入力された前記線画像の幅が所定値以上であるか否かを判断する判断手段と、
前記線画像の幅が所定値以上である場合に、前記第１のモードから前記第２のモードに切り替える切替手段とを備える、情報処理装置。
【請求項６】
前記表示パネルは、
入射光に応じて電気信号を生成する複数の光センサ回路と、
電気信号に応じて光を発する複数の画素回路とを含み、
前記受付手段は、前記複数の光センサ回路からの前記電気信号に基づいて、前記手書き入力および前記選択入力を受け付け、
前記表示制御手段は、前記複数の画素回路に前記入力枠および前記キーボードを表示させる、請求項１から５のいずれか１項に記載の情報処理装置。
【請求項７】
表示パネルと演算処理部とを有する情報処理装置における情報処理方法であって、
前記演算処理部が、第１のモードにおいて前記表示パネルを介して線画像の手書き入力を受け付けるためのエリアの各々を示す入力枠を表示するステップと、
前記演算処理部が、前記第１のモードにおいて前記表示パネルを介して前記手書き入力を受け付けるステップと、
前記演算処理部が、前記手書き入力された前記線画像が予め設定された切替枠と交差するか否かを判断するステップと、
前記演算処理部が、前記線画像が前記切替枠と交差する場合に、前記第１のモードから第２のモードに切り替えるステップと、
前記演算処理部が、前記第２のモードにおいて前記表示パネルを介して文字の選択入力を受け付けるためのキーボードを表示させるステップと、
前記演算処理部が、前記第２のモードにおいて前記表示パネルを介して前記選択入力を受け付けるステップとを備える、情報処理方法。
【請求項８】
表示パネルと演算処理部とを有する情報処理装置に情報を受け付けさせるための情報処理プログラムであって、
前記演算処理部に、
第１のモードにおいて前記表示パネルを介して線画像の手書き入力を受け付けるためのエリアの各々を示す入力枠を表示するステップと、
前記第１のモードにおいて前記表示パネルを介して前記手書き入力を受け付けるステップと、
前記手書き入力された前記線画像が予め設定された切替枠と交差するか否かを判断するステップと、
前記線画像が前記切替枠と交差する場合に、前記第１のモードから第２のモードに切り替えるステップと、
前記第２のモードにおいて前記表示パネルを介して文字の選択入力を受け付けるためのキーボードを表示させるステップと、
前記第２のモードにおいて前記表示パネルを介して前記選択入力を受け付けるステップとを実行させる、情報処理プログラム。
【発明の詳細な説明】
【技術分野】
【０００１】
本発明は、同一の表示パネルを介して情報の入出力を行う情報処理装置、情報処理方法、および情報処理プログラムに関し、特に、第１のモードにおいて表示パネルを介して線画像の手書き入力を受け付け、第２のモードにおいて表示パネルを介して文字の選択入力を受け付ける情報処理装置、情報処理方法、および情報処理プログラムに関する。
【背景技術】
【０００２】
表示パネルを介して情報を表示するとともに、当該表示パネルを介して情報を受け付ける情報処理装置が知られている。そのような表示パネルとして、タッチパネルや、光センサ内蔵液晶パネルなどが挙げられる。なお、光センサ内蔵の液晶パネルは、入射光に基づいて電気信号を生成する光センサ回路と、電気信号に基づいて可視光を発する画素回路とを含むものである。
【０００３】
そのような情報処理装置の中には、表示パネルを介して線画像の手書き入力を受け付けるものがある。そして、情報処理装置は、受け付けた線画像データを解析することによって当該線画像に基づいて複数の文字候補を選択可能に表示したり、選択された文字の文字コードを他のアプリケーションプログラムで利用したりする。
【０００４】
たとえば、特開平７−１４１０９３号公報（特許文献１）には、手書き入力装置が開示されている。特開平７−１４１０９３号公報（特許文献１）によると、入力・表示装置の画面上の現在のページ上に、メモウィンドウがオープンされている。このとき、手書き操作によって、メモウィンドウのメモ枠バー内の任意の位置を始点として矢印を手書き入力すると、その矢印の描く方向と長さに応じてメモウィンドウが移動する。また、手書き操作によって、上記メモ枠バー上に消去イメージを記入すると、メモウィンドウの枠が消滅し、メモウィンドウ内に表示されていたイメージデータが現在のページ上にコピーされる。
【特許文献１】特開平７−１４１０９３号公報
【発明の開示】
【発明が解決しようとする課題】
【０００５】
しかしながら、従来の情報処理装置においては、線画像を手書きすることによって文字を入力するモード（手書き入力モード）から、ソフトウェアキーボードに含まれるボタンを選択することによって文字を入力するモード（選択入力モード）へと、マウスジェスチャーなどによって容易に切り替えることができなかった。たとえば、特開平７−１４１０９３号公報（特許文献１）に記載の手書き入力装置においては、文字を手書き入力するモードから図形を手書き入力するモードへと切り替えることはできるが、マウスジェスチャーや手書き入力などによって容易に、線画像の手書き入力モードから文字の選択入力モードへと切り替えることはできなかった。
【０００６】
本発明は、かかる問題を解決するためになされたものであり、その目的は、線画像の手書き入力モードから文字の選択入力モードへと、ユーザが容易に切り替えることができる情報処理装置、情報処理方法、および情報処理プログラムを提供することである。
【課題を解決するための手段】
【０００７】
この発明のある局面に従うと、情報処理装置が提供される。情報処理装置は、表示パネルと、第１のモードにおいて表示パネルを介して線画像の手書き入力を受け付け、第２のモードにおいて表示パネルを介して文字の選択入力を受け付ける受付手段と、第１のモードにおいて表示パネルを介して手書き入力を受け付けるためのエリアの各々を示す文字入力枠を表示し、第２のモードにおいて表示パネルを介して選択入力を受け付けるためのキーボードを表示させる表示制御手段と、手書き入力された線画像が予め設定されたモード切替枠と交差するか否かを判断する判断手段と、線画像がモード切替枠と交差する場合に、第１のモードから第２のモードに切り替える切替手段とを備える。
【０００８】
好ましくは、モード切替枠は文字入力枠である。
好ましくは、判断手段は、線画像が複数のモード切替枠と交差するか否かを判断する。切替手段は、線画像が複数のモード切替枠と交差する場合に、第１のモードから第２のモードに切り替える。
【０００９】
この発明の別の局面に従うと、情報処理装置が提供される。情報処理装置は、表示パネルと、第１のモードにおいて表示パネルを介して線画像の手書き入力を受け付け、第２のモードにおいて表示パネルを介して文字の選択入力を受け付ける受付手段と、第１のモードにおいて表示パネルを介して手書き入力を受け付けるためのエリアの各々を示す文字入力枠を表示し、第２のモードにおいて表示パネルを介して選択入力を受け付けるためのキーボードを表示させる表示制御手段と、受付手段が複数の手書き入力を受け付けたか否かを判断する判断手段と、受付手段が複数の手書き入力を受け付けた場合に、第１のモードから第２のモードに切り替える切替手段とを備える。
【００１０】
この発明の別の局面に従うと、情報処理装置が提供される。情報処理装置は、表示パネルと、第１のモードにおいて表示パネルを介して線画像の手書き入力を受け付け、第２のモードにおいて表示パネルを介して文字の選択入力を受け付ける受付手段と、第１のモードにおいて表示パネルを介して手書き入力を受け付けるためのエリアの各々を示す文字入力枠を表示し、第２のモードにおいて表示パネルを介して選択入力を受け付けるためのキーボードを表示させる表示制御手段と、手書き入力された線画像の幅が所定値以上であるか否かを判断する判断手段と、線画像の幅が所定値以上である場合に、第１のモードから第２のモードに切り替える切替手段とを備える。
【００１１】
好ましくは、表示パネルは、入射光に応じて電気信号を生成する複数の光センサ回路と、電気信号に応じて光を発する複数の画素回路とを含む。受付手段は、複数の光センサ回路からの電気信号に基づいて、手書き入力および選択入力を受け付ける。表示制御手段は、複数の画素回路に文字入力枠およびキーボードを表示させる。
【００１２】
この発明の別の局面に従うと、表示パネルと演算処理部とを有する情報処理装置における情報処理方法が提供される。情報処理方法は、演算処理部が、第１のモードにおいて表示パネルを介して線画像の手書き入力を受け付けるためのエリアの各々を示す文字入力枠を表示するステップと、演算処理部が、第１のモードにおいて表示パネルを介して手書き入力を受け付けるステップと、演算処理部が、手書き入力された線画像が予め設定されたモード切替枠と交差するか否かを判断するステップと、演算処理部が、線画像がモード切替枠と交差する場合に、第１のモードから第２のモードに切り替えるステップと、演算処理部が、第２のモードにおいて表示パネルを介して文字の選択入力を受け付けるためのキーボードを表示させるステップと、演算処理部が、第２のモードにおいて表示パネルを介して選択入力を受け付けるステップとを備える。
【００１３】
この発明の別の局面に従うと、表示パネルと演算処理部とを有する情報処理装置に情報を受け付けさせるための情報処理プログラムが提供される。情報処理プログラムは、演算処理部に、第１のモードにおいて表示パネルを介して線画像の手書き入力を受け付けるためのエリアの各々を示す文字入力枠を表示するステップと、第１のモードにおいて表示パネルを介して手書き入力を受け付けるステップと、手書き入力された線画像が予め設定されたモード切替枠と交差するか否かを判断するステップと、線画像がモード切替枠と交差する場合に、第１のモードから第２のモードに切り替えるステップと、第２のモードにおいて表示パネルを介して文字の選択入力を受け付けるためのキーボードを表示させるステップと、第２のモードにおいて表示パネルを介して選択入力を受け付けるステップとを実行させる。
【発明の効果】
【００１４】
以上のように、本発明によって、線画像の手書き入力モードから文字の選択入力モードへと、ユーザが容易に切り替えることができる情報処理装置、情報処理方法、および情報処理プログラムが提供される。
【発明を実施するための最良の形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
［実施の形態１］
＜電子機器１００の全体構成＞
まず、本実施の形態に係る情報処理装置の一例である電子機器１００の全体構成について説明する。図１は、本実施の形態に係る電子機器１００を示す概略図である。より詳細には、図１（Ａ）は、手書き入力モードにおいて文字が入力された電子機器１００を示すイメージ図である。図１（Ｂ）は、手書き入力モードから文字の選択入力モード（ソフトウェアキーボード入力モード）への切替命令が入力された電子機器１００を示すイメージ図である。図１（Ｃ）は、文字の選択入力モードにおける電子機器１００を示すイメージ図である。
【００１７】
図１（Ａ）から図１（Ｃ）を参照して、電子機器１００は、第１の筐体１００Ａと第２の筐体１００Ｂとを含む。第１の筐体１００Ａと第２の筐体１００Ｂとは、ヒンジ１００Ｃにより折畳み可能に接続されている。第１の筐体１００Ａは、第１の光センサ内蔵液晶パネル１４０（以下、液晶パネル１４０ともいう。）を備える。第２の筐体１００Ｂは、第２の光センサ内蔵液晶パネル２４０を備える。このように、本実施の形態に係る電子機器１００は、光センサ内蔵液晶パネルを２つ備える。なお、電子機器１００は、ＰＤＡ（Personal Digital Assistant）、ノート型のパーソナルコンピュータ、携帯型電話機、電子辞書などの表示機能を有する携帯型デバイスとして構成される。
【００１８】
そして、本実施の形態に係る電子機器１００は、手書き入力モードにおいて、液晶パネル１４０を介して線画像（文字画像）の手書き入力を受け付けるともに、受け付けた手書き入力に基づいて液晶パネル１４０を介して線画像を表示する。電子機器１００は、選択入力モードにおいて、液晶パネル１４０を介して文字ボタンの選択入力を受け付けるとともに、受け付けた選択入力に基づいて液晶パネル１４０を介して選択文字を表示する。
【００１９】
＜電子機器１００の動作概要＞
次に、図１（Ａ）から図１（Ｃ）を参照して、本実施の形態に係る電子機器１００の動作概要について説明する。
【００２０】
図１（Ａ）に示すように、電子機器１００は、液晶パネル１４０に、第１の文字を示す線画像の手書き入力を受け付けるための第１の文字入力エリアを示す第１の文字入力枠１４０Ａ、第２の文字を示す線画像の手書き入力を受け付けるための第２の文字入力エリアを示す第２の文字入力枠１４０Ｂ、第３の文字を示す線画像の手書き入力を受け付けるための第３の文字入力エリアを示す第３の文字入力枠１４０Ｃを表示する。ユーザは、所望する文字を電子機器１００に入力するために、スタイラスペン９９を介して文字入力枠１４０Ａ，１４０Ｂ，１４０Ｃのそれぞれの内側（それぞれの文字入力エリア内）に文字に対応する線画像を手書き入力する。
【００２１】
電子機器１００は、手書き入力された線画像に基づいて、液晶パネル１４０に文字候補を選択可能に表示する。ユーザは、文字候補の中から所望の文字を選択する。電子機器１００は、液晶パネル１４０に選択された文字を文字列として表示する。最後に、電子機器１００は、第２の液晶パネル２４０に、選択された文字を表示させる。
【００２２】
すなわち、電子機器１００は、選択された文字に対応する文字コードを他のアプリケーションプログラムなどに受け渡す。たとえば、電子機器１００は、ワープロソフトや電子メール送受信プログラムなどに基づいて、第２の液晶パネル２４０に各種のウィンドウ（ブラウザ）を表示する。図１（Ａ）においては、ユーザは、それぞれの文字を入力するために、それぞれの文字を示す線画像をそれぞれの文字入力枠１４０Ａ，１４０Ｂ，１４０Ｃの内側に収まるように描画している。そのため、電子機器１００は、手書き入力モードから変化しない。すなわち、電子機器１００は、選択入力モードへと切り替わらない。
【００２３】
図１（Ｂ）および図１（Ｃ）に示すように、ユーザが第１の文字入力枠１４０Ａ内に文字を示す線画像を手書き入力する際において、１本の線画像が第１の文字入力枠１４０Ａからはみ出した場合、電子機器１００は手書き入力モードから選択入力モードに切り替わる。換言すれば、１本の線画像が第１の文字入力エリアから第２の文字入力エリアへと及ぶ場合に、電子機器１００は手書き入力モードから選択入力モードに切り替わる。
【００２４】
より詳細には、本実施の形態に係る電子機器１００は、１本の線画像が、第１の文字入力枠１４０Ａと第２の文字入力枠１４０Ｂとの間に定められた第１のモード切替枠および第２の文字入力枠１４０Ｂと第２の文字入力枠１４０Ｃとの間に定められた第２のモード切替枠と交差した場合に、手書き入力モードから選択入力モードに切り替わる。換言すれば、線画像が第１の文字入力エリアと第２の文字入力エリアと第３の文字入力エリアとに及ぶ場合に、手書き入力モードから選択入力モードに切り替わる。
【００２５】
ここで、モード切替枠とは、閉じた輪形状を有する（すなわち閉領域を構成する）ものに限らず、たとえば、文字入力枠１４０Ａ〜１４０Ｃに対する位置関係によって定められる１または複数の境界線を含む概念である。
【００２６】
このように、本実施の形態に係る電子機器１００は、ユーザから所定条件を満たす線画像（あるいは所定条件を満たさない線画像）を受け付けることによって、線画像の手書き入力モードから文字の選択入力モードへと切り替わる。すなわち、本実施の形態に係る電子機器１００においては、ユーザは、所定条件を満たす線画像（あるいは所定条件を満たさない線画像）を描画するだけで入力モードを容易に切り替えることができる。以下、このような機能を実現するための構成について詳述する。
【００２７】
＜電子機器１００のハードウェア構成＞
次に、電子機器１００の具体的構成の一態様について説明する。図２は、電子機器１００のハードウェア構成を表わすブロック図である。図２を参照して、電子機器１００は、主たる構成要素として、本体装置１０１と、第１の表示装置１０２と、第２の表示装置１０３とを含む。
【００２８】
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、通信部１７４と、マイク１７５と、スピーカ１７６と、操作キー１７７とを含む。各構成要素は、相互にデータバスＤＢ１によって接続されている。メモリカードリーダライタ１７３には、メモリカード１７３１が装着される。
【００２９】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書き込みおよび消去が可能なＲＯＭである。通信部１７４は、図示しない他の電子機器との間で無線通信を行う。なお、図２には図示していないが、電子機器１００が、他の電子機器に有線により接続するためのインターフェイス（ＩＦ）を備える構成としてもよい。
【００３０】
表示装置１０２は、ドライバ１３０と、第１の光センサ内蔵液晶パネル１４０と、内部ＩＦ１７８と、バックライト１７９と、画像処理エンジン１８０とを含む。
【００３１】
ドライバ１３０は、液晶パネル１４０およびバックライト１７９を駆動するための駆動回路である。ドライバ１３０に含まれる各種の駆動回路については、後述する。
【００３２】
液晶パネル１４０は、液晶ディスプレイの機能と光センサの機能とを備えたデバイスである。つまり、液晶パネル１４０は、液晶を用いた画像の表示と、光センサを用いたセンシングとを行うことができる。液晶パネル１４０の詳細については、後述する。
【００３３】
内部ＩＦ（Interface）１７８は、本体装置１０１と表示装置１０２との間で、データの遣り取りを仲介する。
【００３４】
バックライト１７９は、液晶パネル１４０の裏面に配置された光源である。バックライト１７９は、当該裏面に対して均一な光を照射する。
【００３５】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００３６】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００３７】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００３８】
上記コマンドは、上記光センサによりセンシングを指示するセンシングコマンドを含む。当該センシングコマンドの詳細および上記応答データの詳細については、後述する（図７〜図９）。
【００３９】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００４０】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００４１】
表示装置１０３は、ドライバ２３０と、第２の光センサ内蔵液晶パネル２４０と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００４２】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００４３】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００４４】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００４５】
なお、記憶媒体としては、メモリカードに限られず、ＣＤ−ＲＯＭ、ＦＤ（Flexible Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００４６】
ここでいうプログラムとは、ＣＰＵにより直接実行可能なプログラムだけでなく、ソースプログラム形式のプログラム、圧縮処理されたプログラム、暗号化されたプログラム等を含む。
【００４７】
＜光センサ内蔵液晶パネル１４０の構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００４８】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００４９】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００５０】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００５１】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００５２】
なお、ここでは、いわゆる線順次方式と呼ばれる駆動方式を用いて説明したが、駆動方式はこれに限定されるものではない。
【００５３】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００５４】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００５５】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００５６】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、画素回路１４１ｒと同じ構成である。このため、これら２つの回路（１４１ｇ，１４１ｂ）についての説明は、繰り返さない。
【００５７】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００５８】
光センサ駆動回路１３３は、図２に示すドライバ制御部１８１から制御信号ＴＣ２を受ける。
【００５９】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００６０】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００６１】
なお、電圧ＶＤＤＲを印加するタイミング、および電圧ＶＤＤを印加するタイミングについては、後述する。
【００６２】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００６３】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００６４】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００６５】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００６６】
アンプ１３５は、各センサ信号線（ＳＳ１〜ＳＳｎ）から出力された電圧を増幅する。なお、増幅された電圧は、図２に示した信号処理部１８３に送られる。
【００６７】
なお、画素回路１４１を用いて画像を液晶パネル１４０に表示させるタイミングと、光センサ回路１４４を用いてセンシングするタイミングとについては、画像処理エンジン１８０が制御する。
【００６８】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００６９】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００７０】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００７１】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００７２】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００７３】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００７４】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【００７５】
なお、フォトダイオード１４５の位置は、上記の位置に限定されるものではなく、カラーフィルタ１５３ｒに対向する位置やカラーフィルタ１５３ｇに対向する位置に設けることも可能である。
【００７６】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【００７７】
以下では、光センサ回路１４４をリセットするためのリセット期間と、光センサ回路１４４を用いて光をセンシングするためのセンシング期間と、センシングした結果を読み出す読出期間とに分けて説明する。
【００７８】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【００７９】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【００８０】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【００８１】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【００８２】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【００８３】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【００８４】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【００８５】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【００８６】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【００８７】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【００８８】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【００８９】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【００９０】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【００９１】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【００９２】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【００９３】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【００９４】
また、上記においては、ｍ×ｎ個の光センサ回路全てを用いてスキャンを行う構成を例に挙げたが、これに限定されるものではない。予め選択された光センサ回路を用いて、液晶パネル１４０の表面の一部の領域に関してスキャンを行うことも構成としてもよい。
【００９５】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【００９６】
このように、液晶パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【００９７】
図６は、液晶パネル１４０とバックライト１７９との断面図であって、スキャンの際にフォトダイオード１４５がバックライト１７９からの光を受光する構成を示した図である。
【００９８】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【００９９】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１００】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１０１】
以上により、表示装置１０２は、指９００によって光が反射されることにより得られる像（以下、反射像とも称する）をスキャンすることができる。
【０１０２】
なお、指９００以外のスキャン対象物としては、スタイラスペン９９などが挙げられる。
【０１０３】
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１０４】
＜データについて＞
次に、センシングコマンドについて説明する。なお、表示装置１０２においては、画像処理エンジン１８０は、センシングコマンドの内容を解析し、当該解析の結果に従ったデータ（つまり、応答データ）を本体装置１０１に送り返す。
【０１０５】
図７は、センシングコマンドの概略構成を示した図である。図７を参照して、センシングコマンドは、ヘッダのデータ領域ＤＡ０１と、タイミングを示すデータ領域ＤＡ０２と、データ種別を示すデータ領域ＤＡ０３と、読取方式を示すデータ領域ＤＡ０４と、画像階調を示すデータ領域ＤＡ０５と、解像度を示すデータ領域ＤＡ０６と、予備のデータ領域ＤＡ０７とを含む。
【０１０６】
図８は、センシングコマンドの各領域におけるデータの値と、当該値が示す意味内容とを示した図である。
【０１０７】
図８を参照して、タイミングを示すデータ領域に「００」が設定されたセンシングコマンドは、画像処理エンジン１８０に対して、そのときのスキャンデータの送信を要求する。つまり、センシングコマンドは、当該センシングコマンドを画像処理エンジン１８０が受信した後に、光センサ回路１４４を用いてスキャンすることにより得られるスキャンデータの送信を要求する。また、タイミングを示すデータ領域に「０１」が設定されたセンシングコマンドは、スキャン結果に変化があったときのスキャンデータの送信を要求する。さらに、タイミングを示すデータ領域に「１０」が設定されたセンシングコマンドは、一定周期毎にスキャンデータの送信を要求する。
【０１０８】
データ種別を示すデータ領域に「００１」が設定されたセンシングコマンドは、部分画像における中心座標の座標値の送信を要求する。また、データ種別を示すデータ領域に「０１０」が設定されたセンシングコマンドは、スキャン結果が変化した部分画像のみの送信を要求する。なお、スキャン結果が変化したとは、前回のスキャン結果と今回のスキャン結果が異なっていることを指す。さらに、データ種別を示すデータ領域に「１００」が設定されたセンシングコマンドは、全体画像の送信を要求する。
【０１０９】
ここで、「全体画像」とは、ｍ×ｎ個の光センサ回路を用いてスキャンした際に、各光センサ回路から出力される電圧に基づいて、画像処理エンジン１８０により生成された画像である。また、「部分画像」とは、全体画像の一部である。部分画像に関して、スキャン結果が変化した部分画像のみの送信を要求する構成とした理由については後述する。
【０１１０】
なお、上記座標値と上記部分画像または上記全体画像とを同時に要求する構成としてもよい。また、液晶パネル１４０の表面の一部の領域に関してスキャンを行う構成の場合には、上記全体画像はスキャンが行われる領域に対応した画像となる。
【０１１１】
読取方式を示すデータ領域に「００」が設定されたセンシングコマンドは、バックライト１７９を点灯してスキャンすることを要求する。また、読取方式を示すデータ領域に「０１」が設定されたセンシングコマンドは、バックライト１７９を消灯してスキャンすることを要求する。なお、バックライト１７９を消灯してスキャンする構成については後述する（図１１）。さらに、読取方式を示すデータ領域に「１０」が設定されたセンシングコマンドは、反射と透過とを併用してスキャンすることを要求する。なお、反射と透過とを併用するとは、バックライト１７９を点灯してスキャンする方式と、バックライトを消灯してスキャンする方式とを切り換えて、スキャン対象物のスキャンを行うことを指す。
【０１１２】
画像階調を示すデータ領域に「００」が設定されたセンシングコマンドは、白黒の２値の画像データを要求する。また、画像階調を示すデータ領域に「０１」が設定されたセンシングコマンドは、多階調の画像データを要求する。さらに、画像階調を示すデータ領域に「１０」が設定されたセンシングコマンドは、ＲＧＢのカラーの画像データを要求する。
【０１１３】
解像度を示すデータ領域に「０」が設定されたセンシングコマンドは、解像度の高い画像データを要求する。また、解像度を示すデータ領域に「１」が設定されたセンシングコマンドは、解像度の低い画像データを要求する。
【０１１４】
また、センシングコマンドには、図７および図８に示したデータ以外に、スキャンを行う領域（光センサ回路１４４を駆動する画素の領域）の指定、スキャンを行うタイミング、バックライト１７９の点灯のタイミングなどが記述されている。
【０１１５】
図９は、応答データの概略構成を示した図である。応答データは、センシングコマンドの内容に応じたデータであって、表示装置１０２の画像処理エンジン１８０が本体装置１０１に対して送信するデータである。
【０１１６】
図９を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン１８０のタイマ１８２から取得した時刻情報が書き込まれる。さらに、画像を示すデータ領域には、画像処理エンジン１８０により処理がされた後の画像データ（つまり、スキャンデータ）が書き込まれる。
【０１１７】
図１０は、指９００をスキャンすることにより得られた画像（つまり、スキャン画像）を示した図である。図１０を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１１８】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１１９】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１２０】
ただし、必ずしも中心座標の位置は上記に限定されるものではなく、中心座標を上記図心の座標あるいは図心の近傍の座標としてもよい。
【０１２１】
センシングコマンドのデータ種別を示すデータ領域に「００１」が設定されている場合には、画像処理エンジン１８０は、座標を示すデータ領域ＤＡ１２に上記中心座標の値を書き込む。この場合、画像処理エンジン１８０は、画像を示すデータ領域ＤＡ１４には画像データを書き込まない。画像処理エンジン１８０は、上記中心座標の値の書き込みを行なった後、当該中心座標の値を含む応答データを本体装置１０１に送る。このように、データ種別を示すデータ領域に「００１」が設定されている場合には、センシングコマンドは、画像データの出力を要求せずに、中心座標の値の出力を要求する。
【０１２２】
また、センシングコマンドのデータ種別を示すデータ領域に「０１０」が設定されている場合には、画像処理エンジン１８０は、画像を示すデータ領域ＤＡ１４に、スキャン結果が変化した部分画像の画像データを書き込む。この場合、画像処理エンジン１８０は、中心座標の値を座標を示すデータ領域ＤＡ１２に書き込まない。画像処理エンジン１８０は、上記スキャン結果が変化した部分画像の画像データの書き込みを行なった後、当該部分画像の画像データを含む応答データを本体装置１０１に送る。このように、データ種別を示すデータ領域に「０１０」が設定されている場合には、センシングコマンドは、中心座標の値の出力を要求せずに、スキャン結果が変化した部分画像の画像データの出力を要求する。
【０１２３】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１２４】
また、センシングコマンドのデータ種別を示すデータ領域に「０１１」が設定されている場合には、画像処理エンジン１８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン１８０は、当該中心座標の値と当該部分画像の画像データとを含む応答データを本体装置１０１に送る。このように、データ種別を示すデータ領域に「０１１」が設定されている場合には、センシングコマンドは、中心座標の値の出力と、スキャン結果が変化した部分画像の画像データの出力とを要求する。
【０１２５】
また、センシングコマンドのデータ種別を示すデータ領域に「１００」が設定されている場合には、画像処理エンジン１８０は、図９に示した応答データの画像を示すデータ領域ＤＡ１４に、全体画像の画像データを書き込む。この場合、画像処理エンジン１８０は、中心座標の値を座標を示すデータ領域ＤＡ１２に書き込まない。画像処理エンジン１８０は、上記全体画像の画像データの書き込みを行なった後、当該全体画像の画像データを含む応答データを本体装置１０１に送る。このように、データ種別を示すデータ領域に「１００」が設定されている場合には、センシングコマンドは、中心座標の値の出力を要求せずに、全体画像の画像データの出力を要求する。
【０１２６】
また、センシングコマンドのデータ種別を示すデータ領域に「１０１」が設定されている場合には、画像処理エンジン１８０は、座標を示すデータ領域ＤＡ１２に中心座標の値を書き込むとともに、画像を示すデータ領域ＤＡ１４に全体画像の画像データを書き込む。その後、画像処理エンジン１８０は、当該中心座標の値と当該全体画像の画像データとを含む応答データを本体装置１０１に送る。このように、データ種別を示すデータ領域に「１０１」が設定されている場合には、センシングコマンドは、中心座標の値の出力と、全体画像の画像データの出力とを要求する。
【０１２７】
＜スキャンの方法の変形例＞
次に、図６を参照して説明したスキャンの方法（つまり、反射像をスキャンする方法）とは異なるスキャンの方法について、図１１を参照して説明する。
【０１２８】
図１１は、スキャンの際にフォトダイオードが外光を受光する構成を示した断面図である。図１１を参照して、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１２９】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１３０】
以上により、表示装置１０２は、指９００によって外光が遮られることにより得られる像（以下、影像とも称する）をスキャンすることができる。
【０１３１】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０１３２】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０１３３】
＜表示装置について＞
表示装置１０３の動作は、表示装置１０２の動作と同様、本体装置１０１からのコマンド（たとえば、センシングコマンド）に応じて制御される。表示装置１０３は表示装置１０２と同様な構成を有する。それゆえ、表示装置１０３が表示装置１０２と同じコマンドを本体装置１０１から受け付けた場合、表示装置１０３は表示装置１０２と同様の動作を行う。このため、表示装置１０３の構成や動作についての説明は繰り返さない。
【０１３４】
なお、本体装置１０１は、表示装置１０２と表示装置１０３とに対して、命令が異なるコマンドを送ることができる。この場合、表示装置１０２と表示装置１０３とは別々の動作を行う。また、本体装置１０１は、表示装置１０２および表示装置１０３のいずれかに対して、コマンドを送ってもよい。この場合、一方の表示装置のみがコマンドに応じた動作を行う。また、本体装置１０１が、表示装置１０２と表示装置１０３とに命令が同じコマンドを送ってもよい。この場合、表示装置１０２と表示装置１０３とは、同じ動作を行う。
【０１３５】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０１３６】
そして、本実施の形態に係る情報処理装置１００は、液晶パネル１４０を一つだけ有するものであってもよい。また、本実施の形態に係る情報処理装置１００の液晶パネル１４０，２４０は、光センサ内蔵型でなくてもよい。すなわち、本実施の形態に係る情報処理装置１００の液晶パネル１４０，２４０は、いずれもが通常のタッチパネルであってもよいし、片方がタッチパネルであってもよい。
【０１３７】
＜本実施の形態に係る電子機器１００の機能構成＞
以下では、図１、図２、図１２を参照して、本実施の形態に係る電子機器１００の機能構成について説明する。なお、図１２は、本実施の形態に係る電子機器１００の機能構成を示すブロック図である。
【０１３８】
本実施の形態に係る電子機器１００は、受付部１１１と、判断部１１２と、表示制御部１１３と、切替部１１４とを含む。また、電子機器１００は、図２にも示したように、ＲＡＭ１７１と、複数の光センサ回路１４４および複数の画素回路１４１とを含む光センサ内蔵液晶パネル１４０（表示パネル）とを含む。
【０１３９】
まず、複数の光センサ回路１４４のそれぞれは、入射光を受光して、入射光に応じた電気信号を生成する。複数の光センサ回路１４４は全体として、画像処理エンジン１８０（図２）などを介して、入射光に対応する電気信号を受付部１１１に入力する。なお、複数の光センサ回路１４４は、図１１に示すようにバックライト１７９を消灯させた状態で、指やスタイラスペン９９の位置を読み取ってもよい。
【０１４０】
このように、本実施の形態に係る複数の光センサ回路１４４および画像処理エンジン１８０は全体として操作部を実現する。そして、操作部は、手書き入力モードにおいて液晶パネル１４０を介して線画像の手書き入力を受け付け、選択入力モードにおいて液晶パネル１４０を介して文字の選択入力を受け付ける。
【０１４１】
複数の画素回路１４１のそれぞれは、表示制御部１１３からの画像データやテキストデータに基づいて、外部に可視光を発する。より詳細には、複数の画素回路１４１は全体として、画像処理エンジン１８０（図２）などを介して、表示制御部１１３からの線画像データやテキストデータ（電気信号）に基づいて、バックライト１７９からの光を利用しながら線画像やテキストを表示する。
【０１４２】
このように、本実施の形態に係る複数の画素回路１４１および画像処理エンジン１８０は全体として表示部を実現する。すなわち、表示部は、液晶パネル１４０に画像を表示させる。
【０１４３】
ここでは操作部および表示部を液晶パネル１４０によって実現しているが、本実施の形態に係る操作部および表示部は、通常のタッチパネル型の液晶パネルによって実現されてもよい。
【０１４４】
ＲＡＭ１７１は、ワープロソフトや電子メール送受信プログラムを記憶する。表示制御部１１３は、ワープロソフトや電子メール送受信プログラムを実行することによって、線画像に対応する文字や画像を第２の液晶パネル２４０に表示させる。
【０１４５】
また、ＲＡＭ１７１は、予め設定された文字（線画）を手書き入力するための各文字入力エリアを規定するための文字入力枠の形状を示す文字入力枠データや、入力モードを変更するための予め設定された各モード切替エリアを規定するためのモード切替枠の形状を示すモード切替枠データを記憶する。
【０１４６】
ここで、文字入力枠とモード切替枠とが同一のものであってもよい。あるいは、モード切替枠の中心と文字入力枠の中心とが同じであって、モード切替枠の縦サイズおよび横サイズの少なくとも一方が文字入力枠のそれの約１．５倍あるいは約２倍などであってもよい。あるいは、前述したように、モード切替枠は１または複数の境界線であってもよい。
【０１４７】
受付部１１１と判断部１１２と表示制御部１１３と切替部１１４とは、ＣＰＵ１１０などによって実現される機能である。より詳細には、ＣＰＵ１１０が有する各機能は、ＣＰＵ１１０がＲＡＭ１７１などに記憶される制御プログラムを実行して、図２に示される各ハードウェアを制御することによって実現される機能である。
【０１４８】
まず、受付部１１１は、手書き入力モードにおいて、複数の光センサ回路１４４から画像処理エンジン１８０を介して入力される電気信号に基づいて、液晶パネル１４０に手書き入力された線画像データを受け付ける。より詳細には、受付部１１１は、手書き入力モードにおいて、センシング時間毎に液晶パネル１４０の画像処理エンジン１８０から出力される画像データや図８に示すような部分画像の中心座標に基づいて、線画像データ（たとえば、画像データの変化を示す変化データや部分画像の中心座標の推移を示す時系列データなど）を生成する。受付部１１１は、線画像データを表示制御部１１３に受け渡す。
【０１４９】
受付部１１１は、画像処理エンジン１８０から出力された画像データや生成した線画像データをＲＡＭ１７１に記憶してもよい。すなわち、受付部１１１は、ＲＡＭ１７１の線画像データを常時最新の線画像データに更新してもよい。
【０１５０】
受付部１１１は、文字の選択入力モードにおいて、複数の光センサ回路１４４から画像処理エンジン１８０を介して入力される電気信号に基づいて、液晶パネル１４０に対する文字の選択入力を受け付ける。また、受付部１１１は、当該選択入力に応じた文字コードなどを他のアプリケーションに受け渡す。
【０１５１】
なお、受付部１１１は、ＣＰＵ１１０と液晶パネル１４０の複数の光センサ回路１４４とによって実現される機能であってもよい。すなわち、受付部１１１は、ＣＰＵ１１０の一部の機能と液晶パネル１４０の受光機能とを含む機能ブロックを示す概念であってもよい。
【０１５２】
そして、判断部１１２は、ＲＡＭ１７１に記憶されているモード切替枠データ（文字入力枠データ）を読み出して、ＲＡＭ１７１に記憶されている線画像データに基づいて、線画像がモード切替枠（文字入力枠）と交差するか否かを判断する。ただし、受付部１１１が画像データを生成し、判断部１１２が線画像データを生成した上で、上記の判断を行う構成であってもよい。
【０１５３】
表示制御部１１３は、手書き入力モードにおいて、入力枠データに基づき、複数の画素回路１４１を制御することによって、液晶パネル１４０に文字を示す線画像の手書き入力を受け付けるための文字入力エリアの各々を示す文字入力枠を表示させる。そして、表示制御部１１３は、手書き入力モードにおいて、受付部１１１からの線画像データに基づき、複数の画素回路１４１を制御することによって、線画像を液晶パネル１４０に表示させる。
【０１５４】
また、表示制御部１１３は、選択入力モードにおいては、複数の画素回路１４１を制御することによって、液晶パネル１４０に文字の選択を受け付けるためのソフトウェアキーボード（複数のボタン）を表示させる。そして、表示制御部１１３は、選択入力モードにおいて、受付部１１１からの文字の選択入力に基づき、複数の画素回路１４１を制御することによって、液晶パネル１４０に選択入力に対する選択文字を表示する。
【０１５５】
切替部１１４は、線画像がモード切替枠と交差すると判断した場合に、図１（Ｂ）に示す手書き入力モードから、図１（Ｃ）に示す選択入力モードへと切り替える。一方、切替部１１４は、線画像がモード切替枠と交差しないと判断した場合、図１（Ａ）に示す手書き入力モードのまま次の手書き入力を受け付ける。
【０１５６】
あるいは、判断部１１２が、モード切替枠データと線画像データとに基づいて、１本の線画像が複数のモード切替枠と交差するか否かを判断してもよい。そして、切替部１１４は、１本の線画像が複数のモード切替枠と交差する場合に、手書き入力モードから選択入力モードに切り替える。
【０１５７】
あるいは、判断部１１２は、モード切替枠データと線画像データとに基づいて、手書き入力された１本の線画像が、複数のあるいは３つ以上のモード切替エリア（文字入力エリア）に及ぶか否かを判断してもよい。そして、切替部１１４は、１本の線画像が複数のあるいは３つ以上のモード切替エリアに及ぶ場合に、手書き入力モードから選択入力モードに切り替える。
【０１５８】
＜本実施の形態に係る情報処理＞
次に、図１、図２、図１２、図１３を参照して、本実施の形態に係る電子機器１００における情報処理について説明する。なお、図１３は、本実施の形態に係る電子機器１００における情報処理の処理手順を示すイメージ図である。
【０１５９】
まず、電子機器１００が手書き入力モードになると、液晶パネル１４０に含まれる複数の光センサ回路１４４は、常時、入射光に応じて電気信号を生成する。光センサ回路１４４のそれぞれは、画像処理エンジン１８０を介して、生成した電気信号をＣＰＵ１１０に入力する。すなわち、受付部１１１として機能するＣＰＵ１１０は、複数の光センサ回路１４４からの電気信号を、画像処理エンジン１８０を介して受け付ける（ステップＳ１０２）。換言すれば、ＣＰＵ１１０は、画像処理エンジン１８０からの電気信号に基づいて常時画像データを取得する。
【０１６０】
ＣＰＵ１１０は、前回ＲＡＭ１７１に記憶された画像データと今回生成された画像データとを比較することによって、ユーザがスタイラスペン９９や指などを介して液晶パネル１４０の表面（以下、画面ともいう。）にタッチしたか否かを判断する（ステップＳ１０４）。ユーザが画面にタッチしていないと判断した場合（ステップＳ１０４にてＮＯである場合）、ＣＰＵ１１０はステップＳ１０２からの処理を繰り返す。
【０１６１】
一方、ユーザが画面にタッチしたと判断した場合（ステップＳ１０４にてＹＥＳである場合）、ＣＰＵ１１０は線画像データ（ストローク情報）の生成を開始する（ステップＳ１０６）。より詳細には、ＣＰＵ１１０は、今回生成された画像データに基づいて、液晶パネル１４０上におけるスタイラスペン９９やユーザの指が接触した地点の座標を計算し、当該座標の時系列データなどに基づいて手書き入力された線画像データをＲＡＭ１７１に記憶する（ステップＳ１０８）。すなわち、ＣＰＵ１１０は、画像処理エンジン１８０から順次入力されてくる画像データに基づいて、ＲＡＭ１７１の線画像データを更新する。
【０１６２】
ＣＰＵ１１０は、スタイラスペン９９やユーザの指が画面から離れたか否かを判断する（ステップＳ１１０）。スタイラスペン９９やユーザの指が画面から離れない場合（ステップＳ１１０にてＮＯの場合）、ＣＰＵ１１０はステップＳ１０８からの処理を繰り返す。一方、スタイラスペン９９やユーザの指が画面から離れた場合（ステップＳ１１０にてＹＥＳである場合）、ＣＰＵ１１０は線画像データ（ストローク情報）の生成を終了する（ステップＳ１１２）。
【０１６３】
判断部１１２として機能するＣＰＵ１１０は、ＲＡＭ１７１からモード切替枠の形状を示すモード切替枠データを読み出して、ＲＡＭ１７１の線画像データに基づいて、対象となる線画像がモード切替枠をまたいだか否かを判断する（ステップＳ１１４）。あるいは、ＣＰＵ１１０は、ＲＡＭ１７１からモード切替枠の形状を示すモード切替枠データを読み出して、ＲＡＭ１７１の線画像データに基づいて、対象となる線画像が２つ以上のモード切替枠をまたいだか否かを判断する。
【０１６４】
切替部１１４として機能するＣＰＵ１１０は、線画像がモード切替枠をまたいだ場合（ステップＳ１１４にてＹＥＳである場合）、手書き入力モードから選択入力モードに切り替える（ステップＳ１１６）。すなわち、ＣＰＵ１１０は、手書き入力モードを終了する。一方、線画像がモード切替枠をまたがない場合（ステップＳ１１４にてＮＯである場合）、ＣＰＵ１１０は手書き入力モードのまま、ステップＳ１０２からの処理を繰り返す。
【０１６５】
なお、ＣＰＵ１１０は、たとえばステップＳ１１０の処理を省略してもよい。すなわち、ユーザが液晶パネル１４０から離れる前に、対象となる線画像が２つ以上のモード切替枠をまたいだ時点で、ＣＰＵ１１０は手書き入力モードから選択入力モードに切り替えてもよい。
【０１６６】
［実施の形態２］
次に、本発明の実施の形態２について説明する。上述の実施の形態１に係る電子機器１００は、手書き入力された線画像が予め設定されたモード切替枠と交差した場合に、線画像の手書き入力モードから文字の選択入力モードへ切り替わるものであった。一方、本実施の形態に係る電子機器１００−２は、実質的に同時に液晶パネル１４０に複数の画像が手書き入力された場合に、線画像の手書き入力モードから文字の選択入力モードへ切り替わるものである。
【０１６７】
本実施の形態に係る情報処理装置の一例である電子機器１００−２の全体構成は、実施の形態１に係る電子機器１００のそれと同様であるため、ここでは説明を繰り返さない。以下では、本実施の形態に係る電子機器１００−２の動作概要について説明する。
【０１６８】
＜本実施の形態に係る電子機器１００−２の動作概要＞
図１４は、本実施の形態に係る電子機器１００−２を示す概略図である。より詳細には、図１４（Ａ）は、手書き入力モードにおいて文字が入力された電子機器１００−２を示すイメージ図である。図１４（Ｂ）は、手書き入力モードから文字の選択入力モードへの切替命令が入力された電子機器１００−２を示すイメージ図である。図１４（Ｃ）は、文字の選択入力モードにおける電子機器１００−２を示すイメージ図である。
【０１６９】
なお、図１４（Ａ）に係る動作概要は実施の形態１のそれと同様であるため、ここでは説明を繰り返さない。
【０１７０】
図１４（Ｂ）および図１４（Ｃ）に示すように、ユーザが、スタイラスペン９９と指とを同時に液晶パネル１４０に接触させた場合、電子機器１００−２は手書き入力モードから選択入力モードに切り替わる。すなわち、本実施の形態に係る電子機器１００−２は、液晶パネル１４０に同時に複数の物体が接触した場合に、手書き入力モードから選択入力モードへと切り替わる。このように、本実施の形態に係る電子機器１００−２は、ユーザが、線画像の手書き入力モードから文字の選択入力モードへと容易に切り替えることができる。
【０１７１】
また、電子機器１００−２は、現在線画像が入力されるべき同一の文字入力枠（たとえば第２の文字入力枠１４０Ｂ）内に複数の接触地点が生じた場合に、手書き入力モードから選択入力モードへと切り替わる構成であってもよい。これによって、ユーザの指が、液晶パネル１４０のうち、スタイラスペン９９が接触している第２の文字入力枠１４０Ｂ以外の箇所に、誤って接触した場合に、電子機器１００−２が手書き入力モードから選択入力モードに切り替わることを防止することができる。
【０１７２】
以下、このような機能を実現するための構成について詳述する。なお、本実施の形態に係る電子機器１００−２のハードウェア構成などについては、図２〜図１１に示すような実施の形態１に係る電子機器１００のそれらと同様であるため、ここでは説明を繰り返さない。
【０１７３】
＜本実施の形態に係る電子機器１００−２の機能構成＞
以下では、図１、図２、図１５を参照して、本実施の形態に係る電子機器１００−２の機能構成について説明する。なお、図１５は、本実施の形態に係る電子機器１００−２の機能構成を示すブロック図である。
【０１７４】
本実施の形態に係る電子機器１００−２は、受付部１１１と、判断部１１２−２と、表示制御部１１３と、切替部１１４−２とを含む。また、電子機器１００−２は、図２にも示したように、ＲＡＭ１７１と、複数の光センサ回路１４４および複数の画素回路１４１とを含む光センサ内蔵液晶パネル１４０とを含む。なお、本実施の形態に係る電子機器１００−２の複数の光センサ回路１４４、複数の画素回路１４１、受付部１１１、および表示制御部１１３などの構成は、実施の形態１に係るそれらと同様であるため、ここでは説明を繰り返さない。
【０１７５】
受付部１１１と、判断部１１２−２と、表示制御部１１３と、切替部１１４−２とは、ＣＰＵ１１０などによって実現される機能である。より詳細には、ＣＰＵ１１０が有する各機能は、ＣＰＵ１１０がＲＡＭ１７１などに記憶される制御プログラムを実行して、図２に示される各ハードウェアを制御することによって実現される機能である。
【０１７６】
本実施の形態に係る判断部１１２−２は、受付部１１１が複数の手書き入力を同時に受け付けたか否かを判断する。あるいは、判断部１１２−２は、画像処理エンジン１８０から出力された画像データに基づいて、複数の物体が同時に液晶パネル１４０に接触したか否かを判断する。より詳細には、判断部１１２−２は、１つの画像データに基づいて（１回のセンサ期間内に）、複数の物体が液晶パネル１４０に接触したか否かを判断する。
【０１７７】
本実施の形態に係る切替部１１４−２は、判断部１１２−２が受付部１１１が同時に複数の手書き入力を受け付けたものと判断した場合に、図１４（Ｂ）に示す手書き入力モードから、図１４（Ｃ）に示す選択入力モードへと切り替える。一方、切替部１１４−２は、受付部１１１が同時に複数の手書き入力を受け付けない場合、図１４（Ａ）に示す手書き入力モードのまま次の手書き入力を受け付ける。
【０１７８】
＜本実施の形態に係る情報処理＞
次に、図１、図２、図１５、図１６を参照して、本実施の形態に係る電子機器１００−２における画像処理について説明する。なお、図１６は、本実施の形態に係る電子機器１００−２における情報処理の処理手順を示すイメージ図である。
【０１７９】
まず、電子機器１００−２が手書き入力モードになると、液晶パネル１４０に含まれる複数の光センサ回路１４４は、常時、入射光に応じて電気信号を生成する。光センサ回路１４４のそれぞれは、画像処理エンジン１８０を介して、生成した電気信号をＣＰＵ１１０に入力する。すなわち、受付部１１１として機能するＣＰＵ１１０は、複数の光センサ回路１４４からの電気信号を、画像処理エンジン１８０を介して受け付ける（ステップＳ１０２）。換言すれば、ＣＰＵ１１０は、画像処理エンジン１８０からの電気信号に基づいて常時画像データを取得する。
【０１８０】
ＣＰＵ１１０は、前回ＲＡＭ１７１に記憶された画像データと今回生成された画像データとを比較することによって、ユーザがスタイラスペン９９や指などを介して画面にタッチしたか否かを判断する（ステップＳ１０４）。ユーザが画面にタッチしていないと判断した場合（ステップＳ１０４にてＮＯである場合）、ＣＰＵ１１０はステップＳ１０２からの処理を繰り返す。
【０１８１】
一方、ユーザが画面にタッチしたと判断した場合（ステップＳ１０４にてＹＥＳである場合）、ＣＰＵ１１０は線画像データ（ストローク情報）の生成を開始する（ステップＳ１０６）。より詳細には、ＣＰＵ１１０は、今回生成された画像データに基づいて、液晶パネル１４０上におけるスタイラスペン９９やユーザの指が接触した地点の座標を計算し、当該座標の時系列データなどに基づいて手書き入力された線画像データをＲＡＭ１７１に記憶する（ステップＳ１０８）。すなわち、ＣＰＵ１１０は、画像処理エンジン１８０から順次入力されてくる画像データに基づいて、ＲＡＭ１７１の線画像データを更新する。
【０１８２】
判断部１１２−２として機能するＣＰＵ１１０は、ユーザがさらに他の指や他のスタイラスペン９９などを介して画面にタッチしたか否かを判断する（ステップＳ２０２）。すなわち、ＣＰＵ１１０は、２つ以上の接触点を検知したか否かを判断する。ＣＰＵ１１０は、ユーザがさらに他の指や他のスタイラスペン９９などを介して画面にタッチしていないと判断した場合（ステップＳ２０２にてＮＯである場合）、スタイラスペン９９やユーザの指が画面から離れたか否かを判断する（ステップＳ１１０）。
【０１８３】
スタイラスペン９９やユーザの指が画面から離れない場合（ステップＳ１１０にてＮＯの場合）、ＣＰＵ１１０はステップＳ１０８からの処理を繰り返す。一方、スタイラスペン９９やユーザの指が画面から離れた場合（ステップＳ１１０にてＹＥＳである場合）、ＣＰＵ１１０は線画像データ（ストローク情報）の生成を終了して（ステップＳ１１２）、ステップＳ１０２からの処理を繰り返す。
【０１８４】
切替部１１４−２として機能するＣＰＵ１１０は、ユーザがさらに他の指や他のスタイラスペン９９などを介して画面にタッチしたと判断した場合（ステップＳ２０２にてＹＥＳである場合）、手書き入力モードから選択入力モードに切り替える（ステップＳ１１６）。すなわち、ＣＰＵ１１０は手書き入力モードを終了する。
【０１８５】
［実施の形態３］
次に、本発明の実施の形態３について説明する。上述の実施の形態１に係る電子機器１００は、手書き入力された線画像が予め設定されたモード切替枠と交差した場合に、線画像の手書き入力モードから文字の選択入力モードへ切り替わるものであった。一方、本実施の形態に係る電子機器１００−３は、所定幅以上の線画像が手書き入力された場合に、線画像の手書き入力モードから文字の選択入力モードへ切り替わるものである。
【０１８６】
本実施の形態に係る情報処理装置の一例である電子機器１００−３の全体構成は、実施の形態１に係る電子機器１００のそれと同様であるため、ここでは説明を繰り返さない。以下では、本実施の形態に係る電子機器１００−３の動作概要について説明する。
【０１８７】
＜本実施の形態に係る電子機器１００−３の動作概要＞
図１７は、本実施の形態に係る電子機器１００−３を示す概略図である。より詳細には、図１７（Ａ）は、手書き入力モードにおいて文字が入力された電子機器１００−３を示すイメージ図である。図１７（Ｂ）は、手書き入力モードから文字の選択入力モードへの切替命令が入力された電子機器１００−３を示すイメージ図である。図１７（Ｃ）は、文字の選択入力モードにおける電子機器１００−３を示すイメージ図である。
【０１８８】
なお、図１７（Ａ）に係る動作概要は実施の形態１のそれと同様であるため、ここでは説明を繰り返さない。
【０１８９】
図１７（Ｂ）および図１７（Ｃ）に示すように、ユーザが、指を液晶パネル１４０に接触させた場合、電子機器１００−３は手書き入力モードから選択入力モードに切り替わる。すなわち、本実施の形態に係る電子機器１００−３は、液晶パネル１４０にスタイラスペン９９と比較して太い線画像、あるいは特定条件を満たす線幅の線画像が入力された場合に、手書き入力モードから選択入力モードに切り替わる。このように、本実施の形態に係る電子機器１００−３は、ユーザが、線画像の手書き入力モードから文字の選択入力モードへと容易に切り替えることができる。
【０１９０】
また、電子機器１００−３は、現在線画像が入力されるべき文字入力枠（たとえば第２の文字入力枠１４０Ｂ）内に太い線幅の線画像が入力された場合に、手書き入力モードから選択入力モードに切り替わる構成であってもよい。これによって、ユーザの指が、液晶パネル１４０のうち、第２の文字入力枠１４０Ｂ以外の箇所に、誤って接触した場合に、電子機器１００−３が手書き入力モードから選択入力モードに切り替わることを防止することができる。
【０１９１】
以下、このような機能を実現するための構成について詳述する。なお、本実施の形態に係る電子機器１００−３のハードウェア構成などについては、図２〜図１１に示すような実施の形態１に係る電子機器１００のそれらと同様であるため、ここでは説明を繰り返さない。
【０１９２】
＜本実施の形態に係る電子機器１００−３の機能構成＞
以下では、図１、図２、図１８を参照して、本実施の形態に係る電子機器１００−３の機能構成について説明する。
【０１９３】
本実施の形態に係る電子機器１００−３は、受付部１１１と、線幅取得部１１５と、判断部１１２−３と、表示制御部１１３と、切替部１１４−３とを含む。また、電子機器１００−３は、図２にも示したように、ＲＡＭ１７１と、複数の光センサ回路１４４および複数の画素回路１４１とを含む光センサ内蔵液晶パネル１４０とを含む。なお、本実施の形態に係る電子機器１００−３の複数の光センサ回路１４４、複数の画素回路１４１、受付部１１１、および表示制御部１１３などの構成は、実施の形態１に係るそれらと同様であるため、ここでは説明を繰り返さない。
【０１９４】
受付部１１１と、線幅取得部１１５と、判断部１１２−３と、表示制御部１１３と、切替部１１４−３とは、ＣＰＵ１１０などによって実現される機能である。より詳細には、ＣＰＵ１１０が有する各機能は、ＣＰＵ１１０がＲＡＭ１７１などに記憶される制御プログラムを実行して、図２に示される各ハードウェアを制御することによって実現される機能である。
【０１９５】
線幅取得部１１５は、受付部１１１が取得した画像データあるいは受付部１１１が生成した線画像データに基づいて、線画像の線幅を取得する。たとえば、線幅取得部１１５は、受付部１１１が取得した複数の画像データに基づく時系列データ（たとえば、図８に示すような部分画像の中心座標の時系列データなど）を取得して、当該時系列データに基づいて線画像の描画方向を算出する。そして、線幅取得部１１５は、当該描画方向に垂直な線画像の長さを線幅として算出する。
【０１９６】
本実施の形態に係る判断部１１２−３は、線画像の線幅が予め定められているモード切替用の閾値（所定値）以上であるか否かを判断する。
【０１９７】
本実施の形態に係る切替部１１４−３は、線画像の線幅が予め定められているモード切替用の閾値以上である場合に、図１７（Ｂ）に示す手書き入力モードから、図１７（Ｃ）に示す選択入力モードへと切り替える。一方、切替部１１４−３は、線画像の線幅が予め定められているモード切替用の閾値未満である場合、図１７（Ａ）に示す手書き入力モードのまま次の手書き入力を受け付ける。
【０１９８】
＜本実施の形態に係る情報処理＞
次に、図１、図２、図１８、図１９を参照して、本実施の形態に係る電子機器１００−３における画像処理について説明する。なお、図１９は、本実施の形態に係る電子機器１００−３における情報処理の処理手順を示すイメージ図である。
【０１９９】
まず、電子機器１００−３が手書き入力モードになると、液晶パネル１４０に含まれる複数の光センサ回路１４４は、常時、入射光に応じて電気信号を生成する。光センサ回路１４４のそれぞれは、画像処理エンジン１８０を介して、生成した電気信号をＣＰＵ１１０に入力する。すなわち、受付部１１１として機能するＣＰＵ１１０は、複数の光センサ回路１４４からの電気信号を、画像処理エンジン１８０を介して受け付ける（ステップＳ１０２）。換言すれば、ＣＰＵ１１０は、画像処理エンジン１８０からの電気信号に基づいて常時画像データを取得する。
【０２００】
ＣＰＵ１１０は、前回ＲＡＭ１７１に記憶された画像データと今回生成された画像データとを比較することによって、ユーザがスタイラスペン９９や指などを介して画面にタッチしたか否かを判断する（ステップＳ１０４）。ユーザが画面にタッチしていないと判断した場合（ステップＳ１０４にてＮＯである場合）、ＣＰＵ１１０はステップＳ１０２からの処理を繰り返す。
【０２０１】
一方、ユーザが画面にタッチしたと判断した場合（ステップＳ１０４にてＹＥＳである場合）、ＣＰＵ１１０は線画像データ（ストローク情報）の生成を開始する（ステップＳ１０６）。より詳細には、ＣＰＵ１１０は、今回生成された画像データに基づいて、液晶パネル１４０上におけるスタイラスペン９９やユーザの指が接触した地点の座標を計算し、当該座標の時系列データなどに基づいて手書き入力された線画像データをＲＡＭ１７１に記憶する（ステップＳ１０８）。すなわち、ＣＰＵ１１０は、画像処理エンジン１８０から順次入力されてくる画像データに基づいて、ＲＡＭ１７１の線画像データを更新する。
【０２０２】
線幅取得部１１５として機能するＣＰＵ１１０は、線画像データに基づいて、あるいは複数の画像データに関する時系列データに基づいて、線画像の描画方向を計算する。ＣＰＵ１１０は、線画像データと描画方向とに基づいて、線画像の線幅を計算する（ステップＳ３０２）。
【０２０３】
判断部１１２−３として機能するＣＰＵ１１０は、ＲＡＭ１７１に記憶されているモード切替用の閾値を読み出して、線画像の線幅が閾値以上であるか否かを判断する（ステップＳ３０４）。すなわち、ＣＰＵ１１０は、ユーザが液晶パネル１４０上で指をスライドさせたか否かを判断する。
【０２０４】
ＣＰＵ１１０は、線画像の線幅が閾値未満である場合（ステップＳ３０４にてＮＯである場合）、スタイラスペン９９やユーザの指が画面から離れたか否かを判断する（ステップＳ１１０）。スタイラスペン９９やユーザの指が画面から離れない場合（ステップＳ１１０にてＮＯの場合）、ＣＰＵ１１０はステップＳ１０８からの処理を繰り返す。一方、ユーザが画面から離れた場合（ステップＳ１１０にてＹＥＳである場合）、ＣＰＵ１１０は線画像データ（ストローク情報）の生成を終了して（ステップＳ１１２）、ステップＳ１０２からの処理を繰り返す。
【０２０５】
切替部１１４−３として機能するＣＰＵ１１０は、線画像の線幅が閾値以上である場合（ステップＳ３０４にてＹＥＳである場合）、手書き入力モードから選択入力モードに切り替える（ステップＳ１１６）。すなわち、ＣＰＵ１１０は手書き入力モードを終了する。
【０２０６】
＜その他の実施の形態＞
本発明は、システム或いは装置にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０２０７】
この場合、記憶媒体から読出されたプログラムコード自体が前述した実施の形態の機能を実現することになり、そのプログラムコードを記憶した記憶媒体は本発明を構成することになる。
【０２０８】
プログラムコードを供給するための記憶媒体としては、例えば、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭ（マスクＲＯＭ、フラッシュＥＥＰＲＯＭなど）などを用いることができる。
【０２０９】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０２１０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０２１１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０２１２】
【図１】実施の形態１に係る電子機器を示す概略図である。
【図２】電子機器のハードウェア構成を表わすブロック図である。
【図３】液晶パネルの構成と当該液晶パネルの周辺回路とを示した図である。
【図４】液晶パネルとバックライトとの断面図である。
【図５】光センサ回路を動作させる際のタイミングチャートを示した図である。
【図６】スキャンの際にフォトダイオードがバックライトからの光を受光する構成を示した断面図である。
【図７】センシングコマンドの概略構成を示した図である。
【図８】センシングコマンドの各領域におけるデータの値と当該値が示す意味内容とを示した図である。
【図９】応答データの概略構成を示した図である。
【図１０】指をスキャンすることにより得られた画像を示した図である。
【図１１】スキャンの際にフォトダイオードが外光を受光する構成を示した断面図である。
【図１２】実施の形態１に係る電子機器の機能構成を示すブロック図である。
【図１３】実施の形態１に係る電子機器における情報処理の処理手順を示すイメージ図である。
【図１４】実施の形態２に係る電子機器を示す概略図である。
【図１５】実施の形態２に係る電子機器の機能構成を示すブロック図である。
【図１６】実施の形態２に係る電子機器における情報処理の処理手順を示すイメージ図である。
【図１７】実施の形態３に係る電子機器を示す概略図である。
【図１８】実施の形態３に係る電子機器の機能構成を示すブロック図である。
【図１９】実施の形態３に係る電子機器における情報処理の処理手順を示すイメージ図である。
【符号の説明】
【０２１３】
１００，１００−２，１００−３  電子機器、１０１  本体装置、１０２，１０３  表示装置、１１０  ＣＰＵ、１１１  受付部、１１２，１１２−２，１１２−３  判断部、１１３  表示制御部、１１４，１１４−２，１１４−３  切替部、１１５  線幅取得部、１３０  ドライバ、１３１  走査信号線駆動回路、１３２  データ信号線駆動回路、１３３  光センサ駆動回路、１３４  スイッチ、１３５  アンプ、１４０，２４０  光センサ内蔵液晶パネル（液晶パネル）、１４１，２４１  画素回路、１４１ｂ，１４１ｇ，１４１ｒ  サブピクセル回路、１４３  電極対、１４３ａ  画素電極、１４３ｂ  対向電極、１４４，２４４  光センサ回路、１４５，１４５ｂ，１４５ｇ，１４５ｒ  フォトダイオード、１４６  コンデンサ、１５１Ａ  アクティブマトリクス基板、１５１Ｂ  対向基板、１５２  液晶層、１５３ｂ，１５３ｇ，１５３ｒ  カラーフィルタ、１５７  データ信号線、１６１  偏光フィルタ、１６２  ガラス基板、１６３  遮光膜、１６４  配向膜、１７１  ＲＡＭ、１７１Ａ  パターンデータ、１７１Ｂ  テキストデータ、１７１Ｃ  画像データ、１７３  メモリカードリーダライタ、１７４  通信装置、１７５  マイク、１７６  スピーカ、１７７  操作キー、１７９  バックライト、１８０  画像処理エンジン、１８１  ドライバ制御部、１８２  タイマ、１８３  信号処理部、１７３１  メモリカード、ＤＢ１，ＤＢ２  データバス。
【図１】
2010086400.tif 000003
【図２】
2010086400.tif 000004
【図３】
2010086400.tif 000005
【図４】
2010086400.tif 000006
【図５】
2010086400.tif 000007
【図６】
2010086400.tif 000008
【図７】
2010086400.tif 000009
【図８】
2010086400.tif 000010
【図９】
2010086400.tif 000011
【図１０】
2010086400.tif 000012
【図１１】
2010086400.tif 000013
【図１２】
2010086400.tif 000014
【図１３】
2010086400.tif 000015
【図１４】
2010086400.tif 000016
【図１５】
2010086400.tif 000017
【図１６】
2010086400.tif 000018
【図１７】
2010086400.tif 000019
【図１８】
2010086400.tif 000020
【図１９】
2010086400.tif 000021